Podtech/llm-jp-corpus-v4-ja_patent huggingface dataset:
(57)【要約】【課題】りん棒が載置しやすく、且つ、打りんする際には指で摘まんで取り外しやすい、りん棒の載置台の提供を目的とする。【解決手段】底部に磁石を備えた自立型のりん棒の載置台であって、前記載置台は軟磁性材からなり、前記りん棒の載置部と、前記載置部に自立載置した前記りん棒の側壁部に位置する突起部を有し、前記突起部は前記りん棒を傾ける際に支点となるものであることを特徴とする。【選択図】  図１
2019080766.tif 000002
【特許請求の範囲】
【請求項１】
底部に磁石を備えた自立型のりん棒の載置台であって、
前記載置台は軟磁性材からなり、前記りん棒の載置部と、前記載置部に自立載置した前記りん棒の側壁部に位置する突起部を有し、前記突起部は前記りん棒を傾ける際に支点となるものであることを特徴とするりん棒の載置台。
【請求項２】
底部に軟磁性材を備えた自立型のりん棒の載置台であって、前記載置台は、前記りん棒の少なくとも表面部に磁石を有する載置部と、前記載置部に自立載置した前記りん棒の側壁部に位置する突起部を有し、前記突起部は前記りん棒を傾ける支点となるものであることを特徴とするりん棒の載置台。
【発明の詳細な説明】
【技術分野】
【０００１】
本発明は、仏具として用いられるおりんを打りんするためのりん棒及びそれを載置するりん棒の載置台に関する。
【背景技術】
【０００２】
りん棒は、仏具のおりんを打りんするのに用いられる。
りん棒は、持ちやすく、打りんしやすいように断面円形状のものが多く、横にすると転がりやすい。
そこで、例えば特許文献１には、鉄製にしたりん台にマグネットを埋設したりん棒を磁着させる仏具りん台を開示する。
しかし、同公報に開示するりん台は、りん棒を横にして磁着するものであり、りん棒を指で掴みやすくしたものではない。
【先行技術文献】
【特許文献】
【０００３】
【特許文献１】実用新案登録第３１６５８６５号公報
【発明の概要】
【発明が解決しようとする課題】
【０００４】
本発明は、りん棒が載置しやすく、且つ、打りんする際には指で摘まんで取り外しやすい、りん棒の載置台の提供を目的とする。
【課題を解決するための手段】
【０００５】
本発明に係るりん棒の載置台は、底部に磁石を備えた自立型のりん棒の載置台であって、前記載置台は軟磁性材からなり、前記りん棒の載置部と、前記載置部に自立載置した前記りん棒の側壁部に位置する突起部を有し、前記突起部は前記りん棒を傾ける際に支点となるものであることを特徴とする。
ここで、軟磁性材とは、鉄等の磁石にくっつく材料をいう。
りん棒の底部は、フラットな面を有し、この底部に永久磁石（マグネット）を設けてあり、起立した状態に載置できる。
また、これとは逆に、底部に軟磁性材を備えた自立型のりん棒の載置台であって、前記載置台は、前記りん棒の少なくとも表面部に磁石を有する載置部と、前記載置部に自立載置した前記りん棒の側壁部に位置する突起部を有し、前記突起部は前記りん棒を傾ける支点となるものとしてもよい。
この場合に、載置部に有する磁石は、マグネットシートでもよい。
さらには、りん棒の底部に磁石を設けた場合に、載置台の載置部に反対極の磁石を設けてもよい。
【０００６】
本発明において、自立載置したりん棒の側壁部に位置する突起部とは、りん棒を指で摘まんで載置台から取り外す際に、この突起部を支点にしてりん棒を少し傾けることができるものをいう。
よって、突起部の形状，大きさ，高さ等は、りん棒の傾ける支点として作用するものである限りにおいて、制限はない。
また、突起部の数にも制限がない。
載置台の形状や大きさにも制限がなく、おりんを有していてもよい。
【発明の効果】
【０００７】
本発明に係るりん棒の載置台は、りん棒の底部に設けた磁石にて、りん棒を立てた起立状態に置いておけるので、安定している。
また、りん棒をこの載置台から取り外す際には、りん棒の側壁部の近傍に位置する突起部を支点にして少し傾けることで、磁着力に抗して楽に載置台から取り外すことができる。
【図面の簡単な説明】
【０００８】
【図１】（ａ）はりん棒を載置台の上に起立状態に置いた状態を示し、（ｂ）はりん棒の摘まみ部を持って少し傾けた状態を示す。
【図２】りん棒の打撃部が球形状の例を示し、（ａ）は側面視、（ｂ）は平面視を示す。
【図３】棒状のりん棒の例を示す。
【発明を実施するための形態】
【０００９】
本発明に係るりん棒の載置台の例を以下、図に基づいて説明する。
図１（ａ）は、載置台１１の上面部１１ａに突起部１２を形成した例になっている。
りん棒１は、拡径した打撃部１３と、その上側に細い棒状の摘まみ部２を有する例になっていて、底部３ａはフラット面を有し、磁石４を埋設した例になっている。
載置台は、鉄，ＪＩＳ４０３  ＳＵＳ等の磁石にくっつく軟磁性材で製作してあり、りん棒１の底部３ａに取り付けた磁石の磁力により安定して、起立状態に載置されている。
りん棒を載置台に置く際には、打撃部３の側壁部３ｂに突起部１２が位置するように載置する。
このりん棒を載置する載置部が少なくとも軟磁性材で製作されておればよい。
このようにすると、図１（ｂ）に示すように摘まみ部２を突起部側に少し傾けるだけで、この突起部の上端部が支点Ｓとなり、磁石４が載置台の上面部１１ａから離れ、取り外しやすくなる。
りん棒の材質は、黒檀のような木製でも樹脂製でもよい。
【００１０】
載置台は、表面部に薄い樹脂フィルム等を貼り付けてあってもよく、形状もプレート状に限られるものではなく、箱状，ブロック状等、制限がない。
また、外形状も円形，方形，デザイン形状等でもよく、おりんを取り付けてあってもよい。
図２は、図２（ｂ）に平面視を示すように円盤状の載置台を示した例であり、突起部１２はブロック状の突起形状になっているが、形状に制限はなく、突起部の数にも制限はない。
図２に示したりん棒１の打撃部３は、略球形状で底面は小さなフラット面部になっている。
図３は、細い棒状のりん棒５を載置した例を示す。
このように、りん棒の形状に合せて、突起部の高さが調整可能になっていてもよく、突起部の側面がりん棒の打撃部の形状に合せた凹部形状でもよい。
また、載置台の上面部１ａにりん棒を載置する載置部の位置を示すマーク等をつけてもよい。
りん棒の底部に鉄等の軟磁性材を設けた場合には、載置台の上面部１ａの載置部に磁石やマグネットシートを設けるとよい。
【符号の説明】
【００１１】
１        りん棒
２        摘まみ部
３        打撃部
３ｂ      側壁部
４        磁石
１１      載置台
１２      突起部
【図１】
2019080766.tif 000003
【図２】
2019080766.tif 000004
【図３】
2019080766.tif 000005
(57)【要約】      （修正有）【課題】蓄膿やアレルギーによる鼻づまりの不快感を緩和するため、どんな形の鼻のツボにも対応可能なマッサージ機を提供する。【解決手段】鼻周辺のツボを刺激しやすくするため、鼻接触部（１）には多様な鼻側面に押し当てやすい複数の突起形状を用意し、持ち手部（２）は持ちやすい形状とした。これらの突起形状、および刺激の効果アップの為の振動によって鼻周辺のツボを刺激することにより、鼻の不快感を緩和する事を可能とした。【選択図】図１
2019080891.tif 000002
【特許請求の範囲】
【請求項１】
突起と振動により、鼻周辺のツボを刺激し、鼻通りを良くするマッサージ機
【発明の詳細な説明】
【技術分野】
【０００１】この発明は突起と振動により鼻周辺のツボを刺激し、鼻通りを良くする『鼻スッキリ爽快・Ｎｏｓｅ  Ｐａｓｓノズパ』に関するものである。
【背景技術】
【０００２】従来、蓄膿やアレルギーの様な、かんでもかんでも出てくるような鼻水や、かんでも出ない鼻づまりで日常に支障をきたしている事を解決したい。
【発明の開示】
【発明が解決しようとする課題】服薬や、手術をすることなく日常生活を快適に送れるようにしたい。
ツボを指で刺激しても短時間しか効かない。【０００３】従来の服薬や手術やツボ刺激は次のような欠点があった。
（イ）薬の副作用による、眠気、倦怠感。
（ロ）手術による痛み、時間の拘束、再発の可能性。
（ハ）ツボの刺激は短時間しか効かず、素人では大変。
【課題を解決するための手段】
【０００４】鼻のツボを刺激しやすい突起形状。
刺激の効果アップの為の振動。
【発明の効果】
【０００５】どんな形の鼻のツボにも対応可能なように、小型で多様な突起と振動で刺激する事により鼻づまりの不快感を緩和する。
【図面の簡単な説明】
【０００６】
【図１】本発明の側面図である。
【図２】本発明の斜視図である。
【符号の説明】
【０００８】１．鼻接触部
２．持ち手部
【発明を実施するための最良の形態】
【０００７】以下本発明を実施するための最良の形態について説明する。
（１）部を多様な鼻側面に押し当てやすい突起形状に複数の形を用意。
（２）部は持ちやすい形状にした。
【図１】
2019080891.tif 000003
【図２】
2019080891.tif 000004
(57)【要約】      （修正有）【課題】室内の床の上を滑ることが出来、軽量、コンパクト、安価で継続的に楽しみながら運動し、身体、精神ともに健康になることが出来る、履物を提供する。【解決手段】ゴム剤、合成樹脂に滑沢剤を配合して滑りやすい素材４を使い、床を傷つけない履物にすると共に転倒し怪我をしない程度の滑り具合の履物とする。【選択図】図１
2019080892.tif 000002
【特許請求の範囲】
【請求項１】
床を滑り、脚力を強化する、室内用履物
【発明の詳細な説明】
【技術分野】
【０００１】  本発明は、利用者の運動を通じて利用者の身体、精神の健康、美容を促進する室内用履物に関する。
【背景技術】
【０００２】  従来シートを使用するスライドボードなど体を鍛えるトレーニング用具はあるが、運動スペースが限られており、高価で置く場所を取るダイエット用具であり汎用性に欠けるきらいがある。もし個人が用いる履物型の運動用具であれば安価で収納に場所を取らず広狭自在なスペースで簡便に運動することができる。
【先行技術文献】
【特許文献】
【０００３】
【特許文献１】特開２０１５−０９７７７２号公報
【発明の概要】
【発明が解決しようとする課題】  安価で収納に場所をとらず広狭自在な室内スペースで簡便に滑ることが出来る履物を提供する。
【課題を解決するための手段】  底面に滑りやすい素材を配した履物を提供する。
【発明の効果】  この発明は個人住宅の狭い板の間や体育館などの広い床面など広狭自在なスペースで簡便に滑ることが出来る。このため足の脚力が付き、股下筋肉を鍛える効果や尿漏れを改善するなどの効果が期待される。
【図面の簡単な説明】
【０００４】
【図１】本発明の円型履物に固定具を装着したもので滑りやすい素材を配した室内用履物の及びその底面
【図２】本発明の鼻緒型履物
【図３】本発明のスリッパ型履物
【発明を実施するための形態】
）
【００００５】  この発明で滑りやすい素材とはとはクロロプレン、イソプレンなどのゴム剤、ナイロン、ビニロン、シリコン、ポリエステル、アクリル繊維、塩化ビニル、ポリエチレン、尿素樹脂、テフロンなどの滑沢剤を適量で配合して作成したものである。
この滑りやすい素材を室内用履物の作成に使用する。
この発明に使用する室内用履物は足を乗せる上面１に鼻緒、紐、マジックテープベルトなどの足の固定用具を備えた板状態のものであるが、底面３が板状態で上面１に足の固定具２が備わるものであれば板状態の携帯に限らず例えば円型（図１）、鼻緒型（図２）スリッパ型（図３）、靴（図４）形状のようなどの様な形態のものであってもよい。
この室内用履物は同型のものまたは左右の足型に合わせた形状であり左右一対で使用される。
【産業上の利用可能性】
【００００６】  家庭、学校、老人ホーム、病院、スポーツクラブなど広い範囲で利用出来、簡単な構造のために作りやすく、安価に大量生産することが出来る。
【符号の説明】
【００００７】１  本発明の室内用履物の上面。
２  鼻緒、紐、マジックテープベルトなどその他の固定具を取り付けた物
３  滑りやすい素材を配した室内用履物の底面
４  床面が滑りやすい素材
５  鼻緒型履物
６  スリッパ型履物
【図１】
2019080892.tif 000003
【図２】
2019080892.tif 000004
【図３】
2019080892.tif 000005
(57)【要約】      （修正有）【課題】容易に安全に早根菜類や果物の皮を剥ける皮むき器を提供する。【解決手段】皮むき器は、下部が刃型に形成される。また、屈曲可能な定規状、板状、波上、半円形、三角形、四角形、二刃型などの形状に形成される。皮むき器はステンレス鋼、銅、錫、アルミニウム、ステンレススチール、竹、木材、プラスチックなどの材料からなり、上部と下部は一体成型するのが好ましい。皮むき器は、作物を切断する形状に合わせて屈曲可能な形状に作られる。【選択図】図２
2019080893.tif 000002
【特許請求の範囲】
【請求項１】
下部が刃型に形成された屈曲可能な形状の皮むき器。
【発明の詳細な説明】
【技術分野】
【０００１】  本発明は、従来あるピーラーより、より簡単に安全にジャガイモや果物の皮を剥くことが出来る皮むき器である。
【背景技術】
【０００２】  従来、ピーラーなどの皮むき器はあるが、手を切ってしまうと言う人も多く、ピーラーを使用することを苦手とする人もいる。
また、ピーラーは片手にジャガイモをもち利き手でピーラーを使うため、手もとが安定しない。
本発明の皮むき器は使用時にけがをすることがなく、皮を剥く動作回数を減少させることが出来る。
【先行技術文献】
【特許文献】
【０００３】
【特許文献１】特開２０１４−１００６０１号  特開２００３−２６５３０６号
【発明の概要】
【発明が解決しようとする課題】  従来の皮むき器より、安全に根菜類皮を剥くことが出来、また動作の負担を減らす。
まな板上で上から下に両手で皮むき器を押す動作で皮を剥くため、手の力が衰えたお年寄りや  手の力が弱い子供でも容易に剥くことが出来る。
【課題を解決するための手段】  本発明は下部が刃型に形成された屈曲可能な形状の皮むき器である。
【発明の効果】  ジャガイモはよく使用される食材であるが、皮むきを大変と感じる人は多い、本初明により根菜類や果物の皮むきを少ない動作ですることが出来、皮むきがより簡単になる。
また、手などを切らずに皮を剥くことが出来る。
【図面の簡単な説明】
【０００４】
【図１】本発明の皮むき器
【図２】屈曲した状態の本発明皮むき器
【図３】本発明の別の形態の皮むき器
【発明を実施するための形態】
）
【００００５】  本発明の皮むき器は下部が刃型に形成され、屈曲可能な定規状、板状、波上、半円形、三角形、四角形、二刃型などの形状のものである。この皮むき器はステンレス鋼、銅、錫、アルミニウム、ステンレススチール、竹、木材、プラスチックなどの材料からなり、上部と下部は一体成型するのが好ましいが、別の材料で作成し接合するようにしてもよい。
この皮むき器は、リンゴ、梨、柿、キュウイ、サトイモ、サツマイモ、桃などの皮を剥くのに使用するが、これらの作物を切断する形状に合わせて屈曲可能な形状に作られる。例えばジャガイモの切断はジャガイモ本体を半切りし、その半切り片に合わせて皮むき器を屈曲させて皮をむく。
【産業上の利用可能性】
【００００６】  家庭、給食センター、食堂などで缶便に使用でき簡単な構造の製品であるため容易に大量生産出来る。
【符号の説明】
【００００７】  ［図１］本発明の皮むき器
［図２］屈曲状態にした本発明皮むき器
【図１】
2019080893.tif 000003
【図２】
2019080893.tif 000004
【図３】
2019080893.tif 000005
(57)【要約】      （修正有）【課題】地球引力を動力源とする電気製造方法を提供する。【解決手段】上部回転軸と下部回転軸に発電機を接続し、上部回転軸と下部回転軸を鎖チェンで連結し、上部回転軸上部で水槽に給水するために貯水槽を上部と下部に設置して空気圧縮機を用いて揚水し、上部回転軸と下部回転軸間に取付た多数の水槽の水により、水槽が地球引力を原動力源として下方に落下して回転軸と発電機多数を回転させることで電気を製造する。【選択図】なし【特許請求の範囲】
【請求項１】
〔物品の形状〕
回転軸を上部と下部に設置する。この回転軸の距離は１００ｍを基準とするが、長短は状況により設計する。
〔物品の構造〕
回転軸を鎖チェンで連結し水槽（バケツ形）と（長方形）と２方法を用いる、回転軸上部で水槽に給水するために貯水槽を上部と下部に設置し空気圧縮機を用いて揚水する。水槽が下部回転軸の下方に来た時に水槽底部のチェンにより水槽を逆立になるように取付けて排水する排水した水は貯水槽に集め上部貯水槽に送水する。
〔物品の組みあわせ〕
回転軸、上部と下部に設置し水槽を取付ける。回転軸に発電機を連結する上部、下部回転軸間に鎖に連結して発電機を数ヶ所設置する。
〔電気の製造方法〕
上部回転軸と下部回転軸間に取付た多数の水槽の水により水槽は地球引力を原動力源として下方に落下して回転軸と発電機多数を回転して電気を製造する。地球引力機関（貯水循環式水中水力発電所）
【発明の詳細な説明】
2019052415.tif 000002
2019052415.tif 000003
2019052415.tif 000004
2019052415.tif 000005
2019052415.tif 000006
【手続補正書】
【提出日】平成30年9月27日(2018.9.27)
【手続補正１】
【補正対象書類名】明細書
【補正対象項目名】全文
【補正方法】変更
【補正の内容】
【発明の詳細な説明】
【技術分野】
【０００１】  電力増加増量産業
【背景技術】
【０００２】  発電の無害性の電気の増産
【先行技術文献】
【特許文献】
【０００３】  火力発電・水力発電・原子力発電
【特許文献１】
【発明の概要】
【発明が解決しようとする課題】
【０００４】  これは次のような欠点があった
（イ）故障・地震・津波等の災害により多大な損失を受ける。住民、従業員の被害、故障被害の復原に膨大な支出となる。
本発明は、このような欠点をなくすためになされたものである。
(57)【要約】【課題】波板屋根への取付けが簡易、かつ雨樋の自重により波板屋根から脱離することを防止できる雨樋を提供する。【解決手段】波板屋根２の端部に直接取り付けられる内部に流路を有する略角筒状体の雨樋１であって、前記角筒状体にその長手方向に沿って、前記波板屋根２の端部が挿入される開口部１１と、該開口部１１端に前記波板屋根２を上下方向から挟持する一対の挟持片１１ａ，１１ｂを設け、前記挟持片１１ａ，１１ｂのうち上側の挟持片１１ａは前記流路側に向かって突出させ、前記角筒状体の天面１３ｂは前記波板屋根２に向かって傾斜させた。【選択図】図２
2019052460.tif 000002
【特許請求の範囲】
【請求項１】
波板屋根の端部に直接取り付けられる内部に流路を有する略角筒状体の雨樋であって、前記角筒状体にその長手方向に沿って、前記波板屋根の端部が挿入される開口部と、該開口部端に前記波板屋根を上下方向から挟持する一対の挟持片が設けられ、前記挟持片のうち上側の挟持片が前記流路側に向かって突出し、前記角筒状体の天面が前記波板屋根に向かって傾斜していることを特徴とする雨樋。
【発明の詳細な説明】
【技術分野】
【０００１】
本発明は、雨樋構造に関し、とくに、トタン等の波板屋根の端部に取付けられる横樋に関するものである。
【背景技術】
【０００２】
一般的に、雨樋は、軒先の外側に設けられた断面が半円状の横樋で屋根表面を伝わる雨水を受け、適所に設けられた縦樋に集水した後に排水されている。
【０００３】
一方、いわゆるトタンなどの波板状の屋根材は、経年劣化により端部が撓んで見栄えが悪くなるとともに、あらかじめ設けられた横樋に雨水を落水することが困難になるという問題があった。そこで、例えば、特開昭５３−１８０２７号公報に記載されているように、断面視Ｃ字状の軒樋本体を波板状の屋根材端部に固設し、軒先端を隠して美麗に施工していた。
【先行技術文献】
【特許文献】
【０００４】
【特許文献１】特開昭５３−１８０２７号公報
【発明の概要】
【発明が解決しようとする課題】
【０００５】
ところで、特許文献１に記載された軒樋は、屋根材の端部に、軒樋本体の取付け片を被挿し、取付け片をボルト・ナットにより屋根材に固定するものであった。しかしながら、軒樋本体の取付け片を被挿する際に、長尺な軒樋本体の自重により、屋根材の端部から外れやすく、取り付け作業は実に困難なものであった。とくに屋根材の端部が湾曲している場合は、殊更、被挿し難いものであった。
【０００６】
本発明は、上記の問題点に鑑みなされたもので、波板屋根への取付けが簡易、かつ雨樋の自重により波板屋根から脱離することを防止できる雨樋を提供することを目的とする。
【課題を解決するための手段】
【０００７】
本発明に係る雨樋は、波板屋根の端部に直接取り付けられる内部に流路を有する略角筒状体の雨樋であって、前記角筒状体にその長手方向に沿って、前記波板屋根の端部が挿入される開口部と、該開口部端に前記波板屋根を上下方向から挟持する一対の挟持片が設けられ、前記挟持片のうち上側の挟持片が前記流路側に向かって突出し、前記角筒状体の天面が前記波板屋根に向かって傾斜していることを特徴とする。
【発明の効果】
【０００８】
本発明によれば、下記の優れた効果を有する。
（１）一対の挟持片により波板屋根をしっかりと保持することができるため、締結作業前でも波板屋根に雨樋を取付けることができる。すなわち、ワンタッチで波板屋根に雨樋を設置でき、取り付け作業を簡素化できる。
（２）上側の挟持片が流路側に突出しているため、雨樋の自重をこの挟持片で支えることができ、波板屋根から雨樋が外れにくくなる。
（３）角筒状体の天面が波板屋根方向へ向かって下り傾斜しているため、降雪時に雨樋の上に所定量の積雪を可能とするとともに、波板屋根上の積雪が、滑落することを防ぐストッパーとして機能する。
（４）波板屋根の端部に設置することで、端部の湾曲や破損を隠す化粧材として機能し、波板屋根の端部を美麗に装飾することができる。
【図面の簡単な説明】
【０００９】
【図１】本発明に係る雨樋を示す斜視図である。
【図２】本発明に係る雨樋を屋根の端部に取付けた状態を示す断面図である。
【発明を実施するための形態】
【実施例】
【００１０】
図１及び図２は、本発明の一実施例を示すもので、図１は雨樋の斜視図、図２は雨樋を屋根の端部に取付けた状態を示す断面図である。
【００１１】
図１において、１は本発明に係る雨樋であり、この雨樋１は、図１に示すように長尺状の樋で、波板屋根２の端部に直接取付けられ、その内部に波板屋根２からの雨水や雪が流れ込む流路を有し、屋根端部からの落水や落雪を防ぐものである。
【００１２】
波板屋根２は、一般的に屋根材に用いられる素材を波板状に形成した屋根材である。このような素材としては、塩化ビニル樹脂、合成樹脂、カルバリウム鋼板、銅、ステンレス、アルミ、または亜鉛メッキ鋼板が挙げられる。波板屋根２は、建屋の棟から先端まで傾斜した状態に設けられ、軒先に沿う方向に山部と谷部が交互に、かつ連続的に設けられている。
【００１３】
雨樋１は、図２に示すように、略角筒状に形成され、その中心線に平行な長手方向に沿って、波板屋根２の端部を挿入する開口１１が設けられている。開口１１の端部には、波板屋根２を挟持する一対の挟持片として上部挟持片１１ａ及び下部挟持片１１ｂが設けられている。このうち上部挟持片１１ａは、流路側に向かって突出するよう構成されている。これにより、雨樋１の自重により、波板屋根２への取付け時に波板屋根２から雨樋１が外れにくくなり、安定して取付け作業を行うことができる。
【００１４】
また、本体部１３の天面１３ｂは、波板屋根２へ向かって傾斜するよう構成されており、天面１３ｂ上に所定量の積雪を可能に構成されている。積雪が溶けた際には、溶けた水がこの天面１３の傾斜方向へ流れた後に波板屋根２に到達し、次に波板屋根２の谷部を通過して雨樋１内へ流れ込む。さらに、天面１３が波板屋根２へ向かって傾斜しているため、波板屋根２上の積雪が、そのまま滑落することを防ぐストッパーとして機能する。
【００１５】
雨樋１は、ボルトとナット等の締結具１４により波板屋根２の端部に固定される。締結具１４が設けられる位置は、波板屋根２の山部、及び谷部の位置などにより適宜決定される。また、波板屋根２の素材によっては、ネジや釘を用いても良く、締結具１４は図示した例に限定されるものではない。尚、本実施例では、図２に示すように、天面１３ｂと上部挟持片１１ａの間に天面１３ｂとは異なる角度で立ちあげ片１３ａが設けられているが、例えば、天面１３ｂを図２に一点鎖線で示す位置としても良く、図２の態様に限定するものではない。
【符号の説明】
【００１６】
１            雨樋本体
２            波板屋根
１１          挟持片
１１ａ        上部挟持片
１１ｂ        下部挟持片
１３          本体部
１３ａ        立ちあげ片
１３ｂ        天面
１４          締結具
【図１】
2019052460.tif 000003
【図２】
2019052460.tif 000004
(57)【要約】【課題】足が弱り、靴を履かせてもらう様になった時に、通常履きなれた靴が、そのまま介護靴となり、介護靴を改めて買い直す必要のないオシャレな履物を提供する。【解決手段】通常の靴の制作時に、あらかじめカット出来る部分を設け、歩行が困難になった時に、カット出来る部分を切る事で、履かせやすくなり、補強と調整とデザインを兼ねた踵部分にカバーベルトを縫い付け、ファスナーベルト、あるいは、ボタンやホックなどでベルト固着する履物を提供する。【選択図】図１
2019118697.tif 000002
【特許請求の範囲】
【請求項１】
一般的な靴やパンプスで、踵のカット部分を切ることで、介護靴にもなる履物。
【発明の詳細な説明】
【技術分野】
【０００１】
本発明は、介護が必要になった時に通常の靴が介護靴に変えられる履物に関する物である。
【背景技術】
【０００２】
履物においては、踵部分を開閉出来るはきものがある（特開2010-269040）。
【０００３】
しかし、使用年齢幅が限定的で、靴にかかる耐圧に耐えられない欠点があった。
【０００４】
一般的な靴では、介護が必要になった時に専用の靴を買い足さなければならない欠点があった。
【０００５】
この改善策として、踵全体が開く物や、ジッパーで開閉機能を持たせたが、限られたデザインになってしまう欠点があった。
【先行技術文献】
【特許文献】
【０００６】
【特許文献１】特開2010-269040号公報
【発明の概要】
【発明が解決しようとする課題】
【０００７】
解決しようとする問題点は、オシャレな靴を年齢に関係なく生涯履ける事を目的にしている。
【課題を解決するための手段】
【０００８】
請求項1においては、あらかじめ、踵にカットする部分を設けた靴で、踵部分に補強とサイズ調整用のカバーベルトを設けたはきものである。
【発明の効果】
【０００９】
活動的なオシャレな靴で、踵にカット部分とカバーベルトを設けることで、活動的な時代から介護が必要になる時まで長くオシャレを楽しむ事のできる履物。
【図面の簡単な説明】
【００１０】
【図１】図１は靴の踵部分の側面を示した説明図である。（実施例１）
【図２】図２は靴の踵部分の後ろから見た説明図である。（実施例２）
【図３】図3は靴の踵部分をカットし、広げた説明図である。（実施例）
【発明を実施するための形態】
【００１１】
製甲の時にあらかじめカット部分を設け、補強とカバーを兼ね添えたカバーベルトを靴外の踵内側に縫い付け、踵外側にベルト側と踵側が固着するようにテープファスナーを取り付けた履物。
【実施例１】
【００１２】
図１は、靴の後ろ側の横から見た図で、一般的な靴と変わりなく使え、カット線の縫い目を切ることで、踵を広げる事が出来、履かせてもらえる靴となる履物である。
【産業上の利用可能性】
【００１３】
踵部分の芯だけをあらかじめカットする事で、従来の製靴方法で製造出来、設備投資の必要なく量産可能である。
【符号の説明】
【００１４】
１    靴本体
２    カバーベルト
３    ヒール
４    カット線
５    テープファスナー
【図１】
2019118697.tif 000003
【図２】
2019118697.tif 000004
【図３】
2019118697.tif 000005
(57)【要約】      （修正有）【課題】癒しの製品としての簡易な介護用ベッドを提供する。【解決手段】天然木材を基調に用いて、背かけ（１）をスライド式にすることにより、家庭になじみ、癒しにもなり、子供達にも違和感がなくなり、高齢化にも自然の流れとして受けいれられやすい。スライド背かけ（１）のレール下端は波型又は波型板にて摩擦を低減した。更に、リハビリと介護に役立つ起き上がり用の取り外し式横型手すり（６）を設けた。【選択図】図１４
2019118775.tif 000002
【特許請求の範囲】
【請求項１】
ベッドの背かけを図示のごとくスライド式にする
【請求項２】
リハビリ用起き上がり取り外し式横型手すり
【請求項３】
スライド背かけのレール下端は波型、又は波型板
【発明の詳細な説明】
【技術の分野】
木製家具技術
【背景技術】木製家具の一部
【先行技術文献】
該当するケースは無い
【発明の概要】
ベッドの背かけをスライドして移動を可能とするベッド。
リハビリ用取り外し式横型手すりを設ける。
【発明が解決しようとする課題】介護用ベッド、病院用のベッドは金属性フレームで癒しの風情がかけて、作動メカニックが現れて癒しに反して為に、木製を基調として、メカニックも素朴なスライド式としました。更にリハビリを兼ねて、起き上がり用の水平取り外し式横型手すりを設けました。
【課題を解決する為の手段】
介護用・病院用のベッドは電動・高性能ですが、家庭用としては、金額はもちろん、なじみません。なじむ為に木製を基調として背かけをスライド式にしました。スライド背かけのレール下端は波型又は波型板にて摩擦を低減する。リハビリも兼ねて、起き上がり用の水平手すりも可動式で取り付け可能としました。
【発明の効果】
日本古来の優れた文化としての、日本にはカラクリ人形や障子等のスライド文化があります。簡易なシステムで高度で素朴な癒しの製品としての簡易な介護用ベッドが出来れば、子供達から健常者までが楽しく使えて介護も自然な流れでなじめます。
【図面の簡単な説明】
【図１】背かけが移動前の定位置にある斜視図
【図２】背かけが必要な位置にスライドした斜視図
【図３】背かけが定位置にある平面図
【図４】背かけが必要な位置に移動した平面図
【図５】ベッドの側面図で、背かけが定位置にある図
【図６】ベッドの側面図で背かけが必要な位置に移動した図
【図７】ベッドの縦断面図
【図８】ベッドの横断面図
【図９】ベッドの横詳細断面図
【図１０】背かけの側面詳細図
【図１１】背かけの内側から見た、ストッパーの図
【図１２】同上図のＡ部分の詳細図
【図１３】リハビリを兼ねた起き上がり用の手すり側面図
【図１４】全体斜視図
【発明を実施する為の形態】
マットを落とし込むメインフレームの木枠にスライドする背かけを図示のように、背かけの両サイドの縦フレームの下端に凹凸の金物をＬ字型に取り付けて浮き上がりを防止して背かけをスライドさせる。
リハビリを兼ねた起き上がり用の取り外し式横型手すりを設ける。
【符号の説明】（１）、スライドする背かけ
（２）、ベッド
（３）、マット枠兼スライド背かけ受けフレーム
（４）、マット
（５）、ベット下部の換気ネット
（６）、リハビリ用起き上がり横手すり
（７）、回転式ストッパー
【図１】
2019118775.tif 000003
【図２】
2019118775.tif 000004
【図３】
2019118775.tif 000005
【図４】
2019118775.tif 000006
【図５】
2019118775.tif 000007
【図６】
2019118775.tif 000008
【図７】
2019118775.tif 000009
【図８】
2019118775.tif 000010
【図９】
2019118775.tif 000011
【図１０】
2019118775.tif 000012
【図１１】
2019118775.tif 000013
【図１２】
2019118775.tif 000014
【図１３】
2019118775.tif 000015
【図１４】
2019118775.tif 000016
(57)【要約】【課題】本発明は２連式紙巻き器において、前向きと奥向き前向きとに着座できる便座（２）を有する洋風便器で適用し、いずれの着座姿勢でもトイレットペーパーが容易に使用できる２連式紙巻き器を提供する点にある。【解決手段】［０００５］  ２個のペーパーホルダー（１）（２）を保持部（３）に２位置でトイレットペーパーを取出せるように水平方向に離間距離（Ｌ）を設けて取り付けたから、一方のトイレットペーパー（１）を男性が大便時に背中を奥にして洋風便器に着座した時に便器前側の使用し易い位置としながら同時に、もう一方のペーパーホルダー（２）がペーパーホルダー（１）と離間距離（Ｌ）離れて洋風便器奥側に位置させることができるので、小便時に胸を奥に着座した場合でももうこのペーパーホルダー（２）が使用し易いのである。【選択図】図４
2019118776.tif 000002
【特許請求の範囲】
【請求項１】
２個のペーパーホルダー（１）（２）とこれらペーパーホルダー（１）（２）を一体に保持する保持部（３）とからなるトイレ用の２連式紙巻き器であって、前記ペーパーホルダー（１）（２）を前記保持部（３）に２位置でトイレットペーパーを取出せるように水平方向に離間距離（Ｌ）を設けて取り付けたことを特徴とする２連式紙巻き器。
【発明の詳細な説明】
【技術分野】
【０００１】トイレに使用する２連式紙巻き器に関する。
【背景技術】
【０００２】  従来の２連式紙巻き器は図３に示すように２個のペーパーホルダー（１）（２）を隣接させて一体に設けたものであった。【０００３】  ペーパーホルダーを２個設ける理由は１個がなくなった時のための予備であった【０００４】  本発明者は特願２０１７−１６９８４８において、男性が洋風便器の便座に着座して小便をするとき、従来はズボンをずらし図１に示すように大便をするときと同じく背中を奥に向けて便座に着座していたのに対し、前記特許の出願で小便をズボンのファスナーから陰部を出し、図２に示すように胸を奥に向けて便座に着座し、衛生的かつ容易に小便ができる便座を提案した。【０００５】  一方、従来から一般に男性は小便をしたとき陰部先端に残るわずかな尿を振り払いトイレ内に飛散させて室内を汚したり、また陰部を先端に尿が残ったままパンツに収納して下着やズボンをよごしたりして衛生的、臭気的な問題を発生させている。【０００６】  これに対し本発明者は男性も小便後に陰部に残った尿をトイレットペーパーでふき取り衛生的、臭気的に好ましくすることを提案している。【０００７】  しかしながら、男性が小便後に陰部をふき取る文化が存在せず、そのようにするための洋風便器（便座を含む）、紙巻き器、手すりなどのトイレシステムもないのが現状である。【０００８】  このような訳で、従来の２連式紙巻き器（図３）は、大便時の図１に示す背中を奥に向けた着座姿勢の時にトイレットペーパーが取り易い位置に取り付けられ、しかもこの２連式の２個ペーパーホルダー（１）（２）を隣接して保持部（３）に取り付けているために、男性が小便時に図２に示すように胸を奥に向けて着座した時は紙巻き器（Ａ）のペーパーホルダー（１）（２）がいずれも背中の後ろに位置してとりにくい問題があった。
【発明の概要】
【発明が解決しようとする課題】
【０００９】本達明は男性が洋風便器の便座に、背中を奥に向けて座った時と胸を奥に向けて座った時のいずれの場合もトイレットペーパーが取出し易い２連式紙巻き器を提供することにある。
【課題を解決するための手段】
【００１０】  ２個のペーパーホルダー（１）（２）とこれらペーパーホルダー（１）（２）を一体に保持する保持部（３）とからなるトイレ用の２連式紙巻き器であって、前記ペーパーホルダー（１）（２）を前記保持部（３）に２位置でトイレットペーパーを取出せるように水平方向に離間距離（Ｌ）を設けて取り付けたのである。
【発明の効果】
【００１１】  本発明の２連式紙巻き器は２個のペーパーホルダー（１）（２）を水平方向に離間距離（Ｌ）を設けて保持部（３）に取り付けているので、この離間距離（Ｌ）を洋風便器への着座姿勢に合わせた適切な長さに設定しておくことにより、図１、図２のいずれの姿勢で着座しても容易にトイレットペーパーを取出すことができるのである。
【図面の簡単な説明】
【００１２】
【図１】  従来の２連式紙巻き器平面図
【図２】  従来の２連式紙巻き器正面図
【図３】  本発明の実施形態の２連式紙巻き器平面図
【図４】  本発明の実施形態の２連式紙巻き器正面図
【発明を実施するための形態】
【０００１３】  以下、本発明の実施の形態を図３、図４に基づいて説明する。
【００１４】  図３、図４において（Ａ）は本実施例の２連式紙巻き器で２個のペーパーホルダー（１）（２）とこれらペーパーホルダー（１）（２）を一体に保持する保持部（３）とからなっている。
【００１５】  前記ペーパーホルダー（１）（２）を水平方向に離間距離（Ｌ）、４０ｃｍ程度離して前記保持部（３）の両サイドに取り付けている。
【００１６】  前記保持部（３）は前記ペーパーホルダー（１）（２）が取り付けられる６５ｃｍ程度の長さとし、厚い板からなりカウンターとして機能するとともに、着座及び立ち上がり時に手すりとしても使用できるように固定金具（３１）（３２）で背面の壁（Ｂ）しっかり固定されている。
【００１７】  この実施例では前記ペーパーホルダー（１）（２）は同じものとしているが、一方のペーパーホルダーを陰部に合わせて幅が狭いものや、吸水性の良くかつ破れにくいなど男性陰部専用の異なるものを取り付けてもよい。
また、２つのペーパーホルダー（１）（２）の間の部分に箱や棚などの収納部を設けてもよい。また前記収納部に予備ペーパーホルダーを取り付けてもよい。
【発明の効果】
【００１８】  以下、本発明の実施例の効果を図３、図４で説明する。
【００１９】  本発明の２連式紙巻き器（Ａ）は２個のペーパーホルダー（１）（２）を離間距離（Ｌ）を設けて保持部（３）に取り付けているので、一方のペーパーホルダー（１）を図１のように男性が背中を奥にして洋風便器の便座に着座した時に便器前側の使用し易い位置としながら同時に、もう一方のペーパーホルダー（２）がペーパーホルダー（１）と離間距離（Ｌ）離れて洋風便器奥側に位置させることができるので、小便時に図２のように胸を奥に着座した場合でももう一方のペーパーホルダー（２）が使用し易いのである。
【符号の説明】
【００１６】（Ａ）    ２連式紙巻き器
（１）    ペーパーホルダー
（２）    ペーパーホルダー
（３）    保持部
（３１）  固定金具
（３２）  固定金具
【図１】
2019118776.tif 000003
【図２】
2019118776.tif 000004
【図３】
2019118776.tif 000005
【図４】
2019118776.tif 000006
(57)【要約】      （修正有）【課題】携帯に便利でかつ紛失の恐れのない靴べら及び共通の靴装着型用具支持機構を備えたゴルフ用テイーを提供すること。【解決手段】靴べら本体１００の中央部１０１に板バネ２Ａを備えた靴装着型用具支持機構１０２を設ける。靴べら本体１００の先端部はホーク状のツノ部１を有し、靴ひもへの挿入を容易にしてある。また、靴べら本体の後端部には、ゴルフ用マーカーを取り付け可能にする穴４が設けられている。同様にゴルフ用テイーの側部に靴装着型用具支持機構１０２を設け、靴ひもへの装着を可能にしている。【選択図】図１
2019118778.tif 000002
【特許請求の範囲】
【請求項１】
靴べら本体の一部に板バネを設け、当該板バネを靴ひもに係止する様にした事を特徴とする靴装着型用具支持機構。
【請求項２】
前記靴べら本体の先端部に、靴ひもに挿入可能としたツノ部を設けた事を特徴とする、請求項１に記載の靴装着型用具支持機構。
【請求項３】
前記靴べら本体の後端部にゴルフ用マーカーを取り付け可能にする穴を設ける事を特徴とする請求項１に記載の靴装着型用具支持機構。
【請求項４】
ゴルフ用テイーの側部に靴ひもに装着可能な板バネ部を設けた事を特徴とする靴装着型用具支持機構。
【発明の詳細な説明】
【技術分野】
【０００１】  本発明は、靴べらとゴルフボール打痕を修復するフォーク、ゴルフテイーを靴ひもに挿入して脱着可能にする靴装着型用具支持機構である。
【背景技術】
【０００２】  靴べらはポケットに入れるか、備え付けの靴べらを使うか又は多くの靴から自分の靴を探す。【０００３】  ゴルフフォーク、ボールマーカー、ゴルフテイーはポケットに入れて、使う時に取り出して使う。
【発明の概要】
【発明が解決しようとする課題】
【０００４】  靴べらをポケットの中に入れておくと取り出すのが面倒なため一般的には持ち歩かない。又多くの靴から自分の靴を探すのも大変である。そこで靴への装着可能な靴べらと、個人の識別ができる物で前述の欠点を解決するものである。【０００５】  ゴルフボールの打痕を修復するフォーク、ボールマーク、ボールを上げるテイーをポケットに入れるとポケットの中が汚れたり、取り出しが面倒なので、ゴルフシューズに脱着可能な形状にする事で、欠点を解決するものである。
【課題を解決するための手段】
【０００６】  本、発明は靴べらを靴ひもの下に入れて、靴べらの上側にある板バネでひもを挟み上下の力で固定され、引き抜く事で脱着可能となる。【０００７】  靴べらの先端をフォーク状にする事でゴルフのフォークに使え、取手部に穴を設けて、市販のゴルフマーカーを差込み脱着できるようにした。【０００８】  ゴルフテイーに前述の板ばね機構を設けて、靴への脱着を可能にした。
【発明の効果】
【０００９】  上述の様に靴に取り付ける事でポケットに入れて持ち歩く事なく、取り出すわずらわしさがなくなり、脱いだ靴ではマーカーで本人の識別もできる。又ゴルフでは、ポケット内が汚れない。
【図面の簡単な説明】
【００１０】
【図１】  本発明に係る靴べらとフォークの斜視図である。
【図２】  本発明品が靴に取り付けられた状態の平面図であり同図（Ａ）は靴べらとフォーク同図（Ｂ）はゴルフテイーである。
【図３】  図１におけるＡ−Ａ線に沿う断面図である。
【図４】  ゴルフテイーの斜視図である。
【実施例】
【００１１】  以下本発明の実施例を図面に基づき詳細に説明する。本発明の靴装着型用具支持機構１００について説明する。先端部には靴べらとして足挿入のガイド及びゴルフの打痕修復のフォーク形状を有するツノ部１が有る、これは靴ひもをくぐらせる機能も有している。中央部上面には靴ひもを上から挟み保持する板バネ部２Ａがある。後端には、１００を靴ひもに通すための取手部３があり、取手部に穴４を設けて、市販のゴルフマーカーを脱着できる様にした。【００１２】  本発明の靴装着型用具支持機構が靴に装着された（Ａ）（Ｂ）について説明する。（Ａ）では、ツノ部１が靴ひもの下を通り板バネ部２Ａの底面にバネ力で保持された状態となっている。又、取手部３には、市販のゴルフマーカー５が装着されている。（Ｂ）はゴルフテイー先端が靴ひもの下を通り板バネ２Ｂの底面で靴ひもを保持している。【００１３】  本発明の靴装着型用具支持機構では、靴ひもが保持されるように、板バネ部の底面が靴ひもの最下点より下に行く力を有している。【００１４】  本発明の靴装着型用具支持機構では、ゴルフテイーＴに板バネ２Ｂが有り靴ひもを上下の力で保持できる機構を有している。
【符号の説明】
【００１５】１００  靴べら本体
１０１  中央部
１０２  靴装着型用具支持機構
１    ツノ部
２Ａ  板バネ部
２Ｂ  板バネ部
３    取手部
４    穴
５    ゴルフマーカー
６    靴ひも
Ｔ      ゴルフテイー
【図１】
2019118778.tif 000003
【図２】
2019118778.tif 000004
【図３】
2019118778.tif 000005
【図４】
2019118778.tif 000006
(57)【要約】      （修正有）【課題】手指に負担をかけずに、薬を取り出しやすくした補助具を提供する。【解決手段】錠剤取り出し器は、テコの原理を利用して簡単にお薬シート１０の裏紙を破り薬を出す。【選択図】図７
2019118779.tif 000002
【特許請求の範囲】
【請求項１】
一般に医療機関にかかると、医師が処方し、調剤薬局で薬を受け取りその薬を持ち帰るが、日々その薬を飲む人は、ラミネートされた錠剤を取り出すことが困難な人もいる、本発明の錠剤取り出し器１は、そのような人が簡単に薬を取り出すことを可能にした補助具である、錠剤取り出し器１は、合成樹脂や金属などでできた長方形の板で，板の寸法は、厚さ１ｍｍから３ｍｍ幅１ｃｍ長さ１４ｃｍで、この板の縦方向の中央で熱ヒーターなどで３０度の角度で曲げられている、曲げられたところがバネ部８になる、松葉状に曲げられた板は、下が受け部７で上の板が押さえ部５である、押さえ部５の先端２ｃｍはさらに９０度下方に曲げられ爪部６となる、押さえ部５と受け部７の縦方向外側に指を通して固定する布紐などでできたトンネル型の指通し部９が設けられている、受け部７と爪部６の先端は、バネ部８の作用で２ｃｍほどの間隔が開いている、
この間隔は、指通し部９に通して固定された親指と人差し指で開閉することができる、この受け部７と爪部６の間に左手で水平に持った薬シート１０を爪部６の先端の真下に薬の錠剤１０が位置するように置き、右手の親指と人差し指で持った押さえ部５と受け部７でしっかり挟さんで手首をひねってバネ部８を上に跳ね上げると挟まれた薬シート１０下部の裏紙１３が破れて錠剤１１が出てくる、以上を特徴とした錠剤取り出し器１である。
【発明の詳細な説明】
【技術分野】
【０００１】本発明は、ラミネート１２された薬の錠剤１１を取り出しやすくした補助具に関する。
【背景技術】
【０００２】従来、高齢などで手指の障害により、薬の錠剤１１が取り出しにくくなったりする事があった。【０００３】以下、図６で示すように指で出そうとして、痛い思いをした、
【発明の概要】
【発明が解決しようとする課題】
【０００４】以上述べたように、たくさんの薬を取り出すことは、困難であった、【０００５】本発明は、このような従来の構成が有していた問題を解決しようとするもので、手指や爪に負担をかけず、薬を取り出すことを目的としている。
【課題を解決するための手段】
【０００６】錠剤取り出し器１は、押さえ部５、爪部６受け部７バネ部８指通し部９でできている、【０００７】第１の課題解決手段は、手指でラミネート１２は押さず、【０００８】受け部７と爪部６に挟んだ薬シート１０は、バネ部８を上に跳ね上げることによって裏紙１３が破れ中の錠剤１１が出てくる。【０００９】第２の課題解決手段による作用は、お薬シート１０を水平に持って錠剤取り出し器１の受け部７と爪部６でしっかり挟み、バネ部８を上に跳ね上げると裏紙１３に強い力が加わり裏紙１３は破れて錠剤１１が出てくる、
【発明の効果】
【００１０】裏紙１３に強い力が加わり裏紙１３がやぶれてそこから錠剤１１が出てくる、
【図面の簡単な説明】
【００１１】
【図１】錠剤取り出し器１の斜視図
【図２】錠剤取り出し器１の側面図
【図３】錠剤取り出し器１の平面図
【図４】２列並列のお薬シート１０の斜視図
【図５】お薬シート１０を縦方向から見た断面図
【図６】従来の指で押して薬を取り出す方法の斜視図
【図７】薬シート１０の錠剤１１を爪部６と受け部７で挟んだ側面図
【図８】挟んだ薬りシート１０を起点にバネ部８を跳ね上げて裏紙１３を破って錠剤１１を落とした側面図
【発明を実施するための形態】
【００１２】以下、本発明の実施の形態を図１から図８に基ずいて説明する、
【００１３】図１は、錠剤取り出し器１は押さえ部５、爪部６、受け部７，バネ部８，指通し部９でできている
図２は、錠剤取りだし器１は、爪部６と受け部７が開閉する
図３は、錠剤取り出し器１は押さえ部５のほうが爪部６を曲げた分だけ受け部７より短い、
図４は、薬シート１０は２列並列に錠剤１１が並んでラミネート１２されている
図５は、２列に並列した薬シート１０を縦方向から見た断面図
図６は、従来は、ラミネート１２の上から指で押して薬を出していた、
図７は  薬シート１０の錠剤１１をラミネート１２の上から爪部６と受け部７で挟む
図８は、挟んだ錠剤１１を起点に手首をひねってバネ部８を上に跳ね上げると裏紙１３が破れて錠剤１１が出てくる
【符号の説明】
【００１４】１    錠剤取り出し器
５    押さえ部
６    爪部
７    受け部
８    バネ部
９    指通し部
１０  薬シート
１１  錠剤
１２  ラミネート
１３  裏紙
【図１】
2019118779.tif 000003
【図２】
2019118779.tif 000004
【図３】
2019118779.tif 000005
【図４】
2019118779.tif 000006
【図５】
2019118779.tif 000007
【図６】
2019118779.tif 000008
【図７】
2019118779.tif 000009
【図８】
2019118779.tif 000010
(57)【要約】【課題】      従来のボルダリングは、専用の施設に行かなければ出来ない事が多くみられます。仮に、家庭の壁に付けても壁は穴だらけになるし、範囲も狭い為、良いトレーニングにはなりにくい。【解決手段】  支柱一点・壁掛けにすることで「登る壁」が左右に揺れる。更に、壁の傾斜の調整も出来るので、より難易度が高く、体幹トレーニングに高い効果が期待できる。固定式ではないので、ホールド（石・岩の変わり部分）の交換もしやすい。【選択図】図１
2019118782.tif 000002
【特許請求の範囲】
【請求項１】
一点支柱型で壁掛けにすることで、ボルダリングが揺れ動くシステム。更に、角度が付けられて、より難易度が高く、体幹トレーニングに高い効果が期待できる。
【請求項２】
【発明の詳細な説明】
【技術分野】
【０００１】  本発明は、家庭でも簡単に取り付けることができる遊具・トレーニング用具。壁に固定されたボルダリングとは違い、支柱一点型の壁掛け、移動式。揺れる壁と、傾斜の調整も可能。
【背景技術】
【０００２】  従来のボルダリングは、専用の施設に行かなければ出来ない事が多くみられます。仮に、家庭の壁に付けても壁は穴だらけになるし、範囲も狭い為、良いトレーニングにはなりにくい。【０００３】  従来、コスト的にも、工事費用など高価になると思われます。
【先行技術文献】
【特許文献】
【０００４】
【特許文献１】
【発明の概要】
【発明が解決しようとする課題】
【０００５】  以上に述べたボルダリングは、コストが高く、広範囲で固定式。
【課題を解決するための手段】
【０００６】  本発明は、支柱一点型・壁掛け・移動式で大きさは、約幅１ｍ高さ２．２ｍ程から、製作が可能。
【発明の効果】
【０００７】  上述の通り、支柱一点・壁掛けにすることで「登る壁」が左右に揺れる。固定式ではないので、ホールド（石・岩の変わり部分）の交換もしやすい。
【図面の簡単な説明】
【０００８】
【図１】  本発明、ユレタリングの説明図
【図２】  本発明、ユレタリング試作品の写真
【発明を実施するための形態】
【０００９】  支柱一点型・壁掛け・移動式
【実施例】
【００１０】
【符号の説明】
【００１１】
【図１】
2019118782.tif 000003
【図２】
2019118782.tif 000004
【図３】
2019118782.tif 000005
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
一点支柱型で壁掛けにすることで、ボルダリングが揺れ動くシステム。更に、角度が付けられて、より難易度が高く、体幹トレーニングに高い効果が期待できる。
【手続補正２】
【補正対象書類名】明細書
【補正対象項目名】０００８
【補正方法】変更
【補正の内容】
【０００８】
【図１】本発明、ユレタリングの説明図
【図２】本発明、ユレタリング試作品の写真
【図３】本発明、ユレタリング試作品の写真  ＮＯ２